(57)【要約】【課題】胎教効果の向上を図ったお手玉の提供を目的とするものである。そのため、本願では、お手玉の芯材に固形芳香剤を混入させ、妊婦の嗅覚を通じての胎教ができるお手玉を提供しようとするものである。また、音声発生器具を付け、妊婦と胎児の聴覚を使った胎教ができるお手玉を提供しようとするものである。【解決手段】本願胎教用のお手玉においては、お手玉の芯材に固形芳香剤を混入させる。また、お手玉に音声発生器具を組み合わせる。【選択図】  図３
2005137826.tif 000002
【特許請求の範囲】
【請求項１】
お手玉の芯材に固形芳香剤を混入させたことを特徴とする胎教用お手玉。
【請求項２】
お手玉に音声発生器具を組み合わせたことを特徴とする胎教用お手玉。
【請求項３】
音声発生器具を組み合わせた請求項１記載の胎教用お手玉。
【発明の詳細な説明】
【技術分野】
【０００１】    本発明は、妊婦が胎児への教育的行為をするためのお手玉に関するものである。
【背景技術】
【０００２】    胎教用具の従来技術として、胎児の聴覚に訴えて音楽などを聞かせるための用具として、腹帯に音声出力ユニットを設けた「胎教用腹帯」がある（例えば、特許文献１参照）。
また、胎児の聴覚に訴えて妊婦が胎児に話し掛けるための用具として、管状の送話器具である「胎教用具」がある（例えば、特許文献２参照）。
また、お手玉に関する従来技術の中に、２種以上の芯材を混入させた例として「健康お手玉」がある。（例えば、特許文献３参照）。
また、妊婦の視覚を強烈に刺激して胎児への教育的効果を図るフラッシュ・カードと呼ばれる彩色絵文字カードを胎教用教材とするものもある（例えば、非特許文献１参照）。
【特許文献１】          実開平１−５１６１１号公報（請求項１〜５、図１）
【特許文献２】          実開平２−１４０５７１号公報（請求項１、図１）
【特許文献３】          特開２００２−７８８２２号公報（請求項１、図１）
【非特許文献１】          ジツコ・スセディック著「胎児はみんな天才だ」祥伝社、平成２年７月２５日、ｐ．１８５−１９１
【発明の開示】
【発明が解決しようとする課題】
【０００３】    胎教効果の向上を図ったお手玉の提供を目的とするものである。そのため、本願では、お手玉の芯材に固形芳香剤を混入させ、妊婦の嗅覚を通じての胎教ができるお手玉を提供しようとするものである。また、音声発生器具を組み合わせ、妊婦と胎児の聴覚を使った胎教ができるお手玉を提供しようとするものである。
【課題を解決するための手段】
【０００４】    上記課題を解決するため、本願胎教用のお手玉においては、お手玉の芯材に固形芳香剤を混入させる。【０００５】    また、お手玉に音声発生器具を組み合わせる。【０００６】    また、芯材に固形芳香剤を混入させたお手玉に音声発生器具を組み合わせる。
【発明の効果】
【０００７】    本願請求項１の胎教用お手玉は、固形芳香剤を芯材に混入してあるので、従来のお手玉遊びによる胎教のほか、妊婦の嗅覚を通じての胎教を実施することができる。つまり、妊婦が匂いを嗅ぎながら、「いい匂いでしよう。これはラベンダーの匂いですよ」などと、胎児に香りを伝える胎教を実施することができる。同時に、芳香剤の香りがもたらす癒し効果による、胎教への好結果が期待できる。
また、上記の胎教用お手玉は、実用的に匂い袋と兼用することができ、妊婦の精神をリラックスさせるための道具として利用し、胎教への好影響を図ることができる。
また、固形芳香剤を芯材に混入することにより、お手玉遊びをすると芯材の固形芳香剤が他の芯材と摩擦しあって、芳香を放出しやすくなるという効果が生じる。
また、固形芳香剤を芯材に混入する方法は、固形芳香剤のみで芯材を形成する方法に比べ、固形芳香剤の使用量を少なくすることができ、芳香を出すお手玉を安価に製作することができる。
また、固形芳香剤を芯材に混入する場合、他の芯材に比重の大きな芯材を用い、お手玉を適当な重さに調整することができる。従って、固形芳香剤だけを芯材としたお手玉の、軽すぎて扱いにくいという欠点を解消することができる。
また、本願請求項２の胎教用お手玉のように、お手玉に音声発生器具を組み合わせることにより、妊婦と胎児の聴覚を使ってお手玉遊びのリズム感を音で伝える胎教をすることができる。同時に、音声発生器具を組み合わせたお手玉を使ってお手玉遊びをすることにより、音声発生器具の音が胎児の関心を惹きつけるので、胎教への好結果が期待できる。
また、お手玉に鈴を取り付けたものは、衣服のボタンホールに鈴を差し込んで吊り下げるようにでき、お手玉を兼ねた音の出るアクセサリーとしての兼用化ができる。
また、上記お手玉は、通常のお手玉として使用できることは勿論であるが、ボケ防止などに適したお手玉としても利用することができる。
また、本願請求項３による胎教用お手玉で、固形芳香剤を芯材に混入したお手玉に鈴を取り付けたものは、上記の各効果を得るほか、衣服のボタンホールに鈴を差し込んで吊り下げるようにでき、音の出る匂い袋を兼ねたアクセサリーとしての兼用化ができる。
【発明を実施するための最良の形態】
【０００８】    従来のお手玉は、▲１▼運動神経を発達させる▲２▼集中力を高める▲３▼ストレスを解消させるなどの目的で使用されている。お手玉の芯材としては、小豆や大豆が古くから用いられ、最近ではプラスチックのペレットなどが用いられる。特殊なケースでは、健康増進を目的として磁石小球とアルミニューム小球を混入させた芯材がある。
本発明は、従来用いられていたお手玉の芯材の一部に固形芳香剤を混入させたことを特徴とする。
固形芳香剤とは、粒状芳香剤やアロマビーズと呼ばれるものやこれらに類する物をいい、粒状やビーズ状、球状、楕円状などに形成された固形で芳香を放出するものをいう。
固形芳香剤と混入する芯材は、特に制限を加えるものではないが、固形芳香剤より比重の大きな芯材を用いることが望ましい。
お手玉には、芯材を入れない木のお手玉や金属球のお手玉なども存在するが、本願お手玉は、芯材を入れたお手玉である。
芯材を入れる容器は、袋の形態が一般的であるが、袋に限定されるものではない。
また、袋を形成する素材は、布地が一般的であるが、プラスチックシートや紙などの素材での実施も可能である。
お手玉の形状は、座布団型、かます型、たわら型などが一般的な形状であるが、三角型や星型など任意な形状に形成できる。
お手玉の表面、例えば、袋の表面には、色彩や模様を付けるのが一般的であるが、キャラクターを表示する形態も選択できる。
お手玉の表面に、キャラクターを表示した場合、キャラクターの心を和ませる効果が、胎教に好ましい影響を及ぼすことが期待できる。
音声発生器具とは、鈴や鳴き笛などをいい、お手玉に音声発生器具を組み合わせる方法は、鈴など取り付け部を有する器具の場合には、縫い付けや結び付けの方法による取り付け方法で組み合わせることが望ましい。特殊な方法として、接着などの方法により組み合わせることも可能である。また、泣き笛などの取り付け部を有さない器具の場合には、お手玉の中に収納する方法で組み合わせることが望ましい。
なお、音声発生器具は、鈴を用いることが取り付け方法や音声効果の点から望ましい。また、音声発生器具を鈴にした胎教用お手玉は、鈴のサイズを考慮することにより、衣服などのボタンホールに留めるボタンとしての機能を付与することができる。
【実施例１】
【０００９】    以下図面に基づいて実施例を説明する。
図１は、請求項１による胎教用お手玉の一部を断面図とする斜視図である。
胎教用お手玉１の袋Ａは布地を縫製して作られ、芯材には、小豆Ｂと球形の固形芳香剤２が混入されて詰められている。
袋Ａの表面にはキャラクターＣがプリントされている。
【実施例２】
【００１０】    図２は、請求項２による胎教用お手玉の一部を断面図とする斜視図である。
胎教用お手玉１の袋Ａは布地を縫製して作られ、芯材には、小豆Ｂが詰められている。
袋Ａの表面にはキャラクターＣがプリントされている。
また、袋Ａの端部２箇所に音声発生器具３としての鈴が逢着されている。鈴のサイズは、衣服のボタンホールに差し込める小サイズのものが用いられている。
【実施例３】
【００１１】    図３は、請求項３による胎教用お手玉の一部を断面図とする斜視図である。
胎教用お手玉１の袋Ａは布地を縫製して作られ、芯材には、小豆Ｂと球形の固形芳香剤２が混入されて詰められている。
袋Ａの表面にはキャラクターＣがプリントされている。
また、袋Ａの端部２箇所に音声発生器具３としての鈴が逢着されている。鈴のサイズは、衣服のボタンホールに差し込める小サイズのものが用いられている。
【図面の簡単な説明】
【００１２】
【図１】 
【００１３】  請求項１による胎教用お手玉の一部を断面図とする斜視図である。【図２】 
【００１４】  請求項２による胎教用お手玉の一部を断面図とする斜視図である。【図３】 
【００１５】  請求項３による胎教用お手玉の一部を断面図とする斜視図である。
【符号の説明】
【００１６】  １  胎教用お手玉
２  固形芳香剤
３  音声発生器具
Ａ  袋
Ｂ  小豆
Ｃ  キャラクター
【図１】
2005137826.tif 000003
【図２】
2005137826.tif 000004
【図３】
2005137826.tif 000005